(57)【要約】【課題】スピーカーボックスを内蔵した機器において、狭い筐体でも放熱効率がよく、かつ低コストな放熱機構を提供する。【解決手段】上下に開口させたバスレフポート内下部に放熱器を設置し、煙突効果による空気の流れと音声出力によるバスレフポート内の空気の流れを利用して発熱部品から熱を放熱する。【選択図】  図１
2004274383.tif 000002
【特許請求の範囲】
【請求項１】
少なくとも一つのスピーカーシステムと発熱部品を放熱するための放熱器とを備えた装置において、スピーカーシステムはスピーカーユニットとスピーカーユニットを固定するためのスピーカーボックスで構成されており、上記スピーカーボックスはバスレフ方式であり、バスレフポートは上下方向に開口しており、上記バスレフポート内部の下部に発熱部品を放熱するための放熱器を設け、放熱器の発熱によりバスレフポート内で煙突効果による空気の対流および音声出力によるバスレフポート内の空気の流れを利用して放熱する装置の放熱機構。
【請求項２】
上記バスレフポートがスピーカーボックスの外部または内部に構成されていることを特徴とする請求項１記載の放熱機構。
【請求項３】
上記バスレフポートが多角形または円形または楕円形の断面形状を有することを特徴とする請求項１記載の放熱機構。
【請求項４】
少なくとも一つのスピーカーシステムと発熱部品を放熱するための放熱器とを備えた装置において、スピーカーシステムはスピーカーユニットとスピーカーユニットを固定するためのスピーカーボックスで構成されており、上記スピーカーボックスはバスレフ方式であり、バスレフポートは上下方向に開口しており、上記スピーカーボックス内部でバスレフポートの近傍に発熱部品を放熱するための放熱器を設け、放熱器の発熱によりスピーカーボックス内で煙突効果による空気の対流および音声出力によるバスレフポート近傍の空気の流れを利用して放熱する装置の放熱機構。
【請求項５】
上記バスレフポートがスピーカーボックスの外部または内部に構成されていることを特徴とする請求項４記載の放熱機構。
【請求項６】
上記スピーカーボックスが多角形または円形または楕円形の断面形状を有することを特徴とする請求項４記載の放熱機構。
【請求項７】
少なくとも一つのスピーカーシステムと発熱部品を放熱するための放熱器とを備えた装置において、スピーカーシステムはスピーカーユニットおよび音導管で構成されており、上記音導管は上下方向に開口しており、上記音導管内部の下部に発熱部品を放熱するための放熱器を設け、放熱器の発熱により音導管内で煙突効果による空気の対流および音声出力による音導管内の空気の流れを利用して放熱する装置の放熱機構。
【請求項８】
上記音導管が多角形または円形または楕円形の断面形状を有することを特徴とする請求項７記載の放熱機構。
【請求項９】
上記スピーカーシステムの形式が後面開放型または密閉型またはバスレフ型であること特徴とする請求項７記載の放熱機構。
【発明の詳細な説明】
【０００１】
【発明の属する技術分野】
本発明はスピーカーボックスと発熱部品の放熱機構を備えた機器に関するものである。
【０００２】
【従来の技術】
バスレフ方式スピーカーボックスのバスレフポート近傍に放熱器を設置する。放熱を必要とする発熱部品は放熱器によって放熱される。放熱器は自然対流とバスレフポートからの音による空気の流れで放熱される。（特許文献１参照）
【０００３】
【特許文献１】
実開平０３−７５６９１号公報
【０００４】
【発明が解決しようとする課題】
しかしながら従来の構成では液晶テレビ等の小さい筐体では自然対流による放熱効率は悪くなっていた。また放熱器でスペースを取ってしまい、放熱器の大きさやスピーカーボックスの容量が小さくなってしまっていた。
【０００５】
【課題を解決するための手段】
従来の構成の課題を解決するために本発明はバスレフポートは上下に開口を持たせ、下部バスレフポート内に放熱器を設置し、熱により煙突効果で空気の対流を起こし放熱器から放熱する。また、バスレフポートの音による空気の対流でも放熱させることができる。さらに放熱器がスピーカーボックス内にあるため容量を増やすことができる。
【０００６】
【発明の実施の形態】
（実施の形態１）
本発明の請求項１に記載の発明の実施例を図面を参照して説明する。図１は本発明の実施例における斜視図である。スピーカーユニット１１を取り付けたスピーカーボックス１２の上下方向にバスレフポート１３ａ、１３ｂを備えている。
【０００７】
下部バスレフポート１３ｂ内に発熱部品１４を放熱するための放熱器１５を設置する。放熱器１５により下部バスレフポート１３ｂ内の空気が熱せられると煙突効果により空気が下部バスレフポート１３ｂから流入し、スピーカーボックス１２を通って上部バスレフポート１３ａから流出する。
【０００８】
下部バスレフポート１３ｂは煙突効果が生じるように縦方向に細長い形状であるものとする。またスピーカーユニット１１からの音声出力で下部バスレフポート１３ｂ内に空気の流れが生じる。これら２つの空気の流れにより、効率的に放熱することができる。
【０００９】
また、図１の実施の形態ではバスレフポートがスピーカーボックスの外部に構成されているが、請求項２に示すように内部に構成していても構わない。
【００１０】
また、図１の実施の形態ではバスレフポート１３ａ、１３ｂの断面形状が四角形であるが、請求項３に示すように円または楕円または多角形の形状でも構わない。
【００１１】
（実施の形態２）
本発明の請求項４に記載の発明の実施例を図面を参照して説明する。図２は本発明の実施例における斜視図である。スピーカーユニット２１を取り付けたスピーカーボックス２２の上下方向にバスレフポート２３ａ、２３ｂを備えている。
【００１２】
スピーカーボックス２２内の下部バスレフポート２３ｂ近傍に発熱部品２４を放熱するための放熱器２５を設置する。放熱器２５によりスピーカーボックス２２内の空気が熱せられると煙突効果により空気が下部バスレフポート２３ｂから流入し、スピーカーボックス１２を通って上部バスレフポート２３ａから流出する。
【００１３】
スピーカーボックス２２は煙突効果が生じるように縦方向に細長い形状であるものとする。またスピーカーユニット２１からの音声出力で下部バスレフポート２３ｂ内に空気の流れが生じるため、その近傍においても空気の流れが生じる。これら２つの空気の流れにより、効率的に放熱することができる。
【００１４】
また、図２の実施の形態ではバスレフポートがスピーカーボックスの内部に構成されているが、請求項５に示すように外部に構成していても構わない。
【００１５】
また、図２の実施の形態ではスピーカーボックスの断面形状が四角形であるが、請求項６に示すように円または楕円または多角形の形状でも構わない。
【００１６】
（実施の形態３）
本発明の請求項７に記載の発明の実施例を図面を参照して説明する。図３は本発明の実施例における斜視図である。スピーカーユニット３１を取り付けた音導管３２は煙突効果が生じるように縦方向に細長い形状で上下端の開口を持つ。
【００１７】
音導管３２内の下部に発熱部品３３を放熱するための放熱器３４を設置する。放熱器３３により音導管３２内の空気が熱せられると煙突効果により空気が音導管３２の下部開口から流入し、上部開口から流出する。またスピーカーユニット３１からの音声出力で音導管３２に空気の流れが生じる。これら２つの空気の流れにより、効率的に放熱することができる。
【００１８】
また、図３の実施の形態では音導管の断面形状が四角形であるが、請求項８に示すように円または楕円または多角形の形状でも構わない。
【００１９】
また、図３の実施の形態ではスピーカーシステムの形式が後面開放型であるが、請求項９に示すように密閉型またはバスレフ型でも構わない。
【００２０】
【発明の効果】
本発明によれば、自然対流に比べ放熱器の放熱効果が高くなるので放熱器のコストダウンができる。
【図面の簡単な説明】
【図１】本発明による実施の形態１の斜視図
【図２】本発明による実施の形態２の斜視図
【図３】本発明による実施の形態３の斜視図
【符号の説明】
１１  スピーカーユニット
１２  スピーカーボックス
１３ａ  上部バスレフポート
１３ｂ  下部バスレフポート
１４  放熱器
１５  発熱部品
２１  スピーカーユニット
２２  スピーカーボックス
２３ａ  上部バスレフポート
２３ｂ  下部バスレフポート
２４  放熱器
２５  発熱部品
３１  スピーカーユニット
３２  音導管
３３  放熱器
３４  発熱部品
【図１】
2004274383.tif 000003
【図２】
2004274383.tif 000004
【図３】
2004274383.tif 000005